(57)【要約】【課題】構造が簡単であるとともに、パネルの取付作業も容易に行なうことができるようにする。【解決手段】サッシ枠の室外側フィン１１にパネルを取りつける構造であって、サッシ枠の室外側フィン１１とパネル２０との間に取付台座２１を介在させ、取付台座２１にはネジ挿通孔２５とスライド溝２６を形成し、室外側フィン１１の裏側に止め金具２４を配置し、この止め金具２４の一部を上記スライド溝２６に沿ってスライド可能とし、パネル２０の室外側から前記取付台座２１のネジ挿通孔２５に挿通し、さらにサッシ枠の室外側フィン１１を貫通した取付ネジ２２を、止め金具２４の雌ネジ部２８にねじ込み固定するようにした。【選択図】図２
2005030113.tif 000002
【特許請求の範囲】
【請求項１】
サッシ枠の室外側に形成されたフィンにパネルを取りつける構造であって、上記室外側フィンとパネルとの間に取付台座を介在させ、該取付台座にはネジ挿通孔とスライド溝を形成し、前記室外側フィンの裏側に配置した止め金具の一部を上記スライド溝に沿ってスライド可能とし、前記パネルに対して室外側から貫通した取付ネジを、前記取付台座のネジ挿通孔に挿通し、さらに前記サッシ枠の室外側フィンを貫通して前記止め金具の雌ネジ部にねじ込み固定することを特徴とするパネルのサッシ枠への取付構造。
【請求項２】
前記スライド溝は前記取付台座の見込み方向に前記ネジ挿通孔と平行に形成され、前記止め金具は、前記スライド溝に差し込まれるスライド片と前記雌ネジ部を有する固定片とからなるＬ型の形状であることを特徴とする、請求項１記載のパネルのサッシ枠への取付構造。
【発明の詳細な説明】
【技術分野】
【０００１】
本発明は、面格子、化粧パネル、目隠しパネル、装飾パネルなどのパネルをサッシ枠の室外側に取りつけるための取付構造に関するものである。
【背景技術】
【０００２】
従来、面格子、目隠しパネルなどをサッシ枠の室外側に取りつけるためには、パネルを直接に止め金具を介して縦枠に取りつけていた。すなわち、縦枠の室外側にはサッシの開口面と平行な張出縁が形成されている。上記パネルと上記張出縁との間に台座を介在させ、パネルの室外側からパネルと台座と張出縁に対して取付ネジを貫通させ、張出縁の裏側に当てたネジ受け金具の雌ネジ部に上記取付ネジの先端部分を螺合させて固定していた。
【０００３】
しかしながら、このような取付態様では、張出部と建物の壁躯体との間の空間は狭いので、この狭い空間からネジ受け金具を差し入れ、しかもネジ受け金具を縦枠の張出部の裏側の目に見えない部位で、その雌ネジ部に取付ネジの先端ねじ込むように位置調整するのは、非常に面倒であった。
【０００４】
これを改善するため、ネジ受け金具に代え、パネルをブラケットを介して縦枠に取りつける際、サッシの縦枠の室外側の端部からサッシ開口部の内方に、上記張出部と反対側に突片を形成し、この突片に補助縦枠を取り付け、この補助縦枠に、パネルを固着したブラケットを補助縦枠から抜け出さないように係止させるパネル取付構造が提案されている（例えば、特許文献１）。
【特許文献１】特開２０００−２４８８４２号公報
【０００５】
しかしながら、上記パネル取付構造によれば、ネジ止め作業が不要となるので、作業性は改善されるが、その反面、サッシの縦枠を加工したり、補助縦枠を添設しなければならないので、かなりコスト高になってしまう。
【発明の開示】
【発明が解決しようとする課題】
【０００６】
本発明は、構造が簡単であるとともに、パネルの取付作業も容易に行なうことができるパネルのサッシ枠への取付構造をその解決課題とする。
【課題を解決するための手段】
【０００７】
本発明に係るパネルのサッシ枠への取付構造は、サッシ枠の室外側に形成されたフィンにパネルを取りつける構造であって、上記室外側フィンとパネルとの間に取付台座を介在させ、該取付台座にはネジ挿通孔とスライド溝を形成し、前記室外側フィンの裏側に配置した止め金具の一部を上記スライド溝に沿ってスライド可能とし、前記パネルに対して室外側から貫通した取付ネジを、前記取付台座のネジ挿通孔に挿通し、さらに前記サッシ枠の室外側フィンを貫通して前記止め金具の雌ネジ部にねじ込み固定することを特徴とする。
【０００８】
なお、前記スライド溝は前記取付台座の見込み方向に前記ネジ挿通孔と平行に形成され、前記止め金具は、前記スライド溝に差し込まれるスライド片と前記雌ネジ部を有する固定片とからなるＬ型の形状にするのが好ましい。
【発明の効果】
【０００９】
請求項１に係る発明によれば、止め金具はスライド溝に沿ってスライドできるようになっているため、取付ネジと止め金具の雌ネジ部との位置合わせを容易に行なうことができる。また、構造が簡単であるから、コストも低く抑えることができる。
【００１０】
請求項２に係る発明によれば、スライド溝にはスライド片を差しこむことにより固定片の雌ネジ部と取付台座のネジ挿通孔とは自動的に位置合わせできるので、パネルの取付作業を容易に行なうことができる。
【発明を実施するための最良の形態】
【００１１】
構造が簡単であるとともに、パネルの取付作業も容易に行なうという目的を、スライド溝にスライド片を差しこむだけで、固定片の雌ネジ部と取付台座のネジ挿通孔とは自動的に位置合わせすることにより実現した。
【実施例１】
【００１２】
図１は、本発明に係るパネルのサッシ枠への取付構造の１実施例の正面図であって、符号１はサッシ枠の上枠、２は下枠、３は縦枠を示す。サッシ枠の内側にはペアガラス１７が固定されている。また、サッシ枠の室外側には化粧パネル２０が取りつけられている。図２は図１のＸ−Ｘ線上の断面図で、４は建屋の窓開口部の周縁部材で、周縁材の内周面の室内側には額縁が取りつけられている。また、５は建屋の外壁、６はコーキング材を示し、さらに７は内装材を示す。
【００１３】
上記縦枠３は建屋の窓開口部Ａの周縁部材４の内側に固定されている。すなわち、縦枠３は金属部３ａと合成樹脂部３ｂとからなるもので、金属部３ａには、窓開口部Ａの開口面方向の外方に張出す取付フィン８と、該取付フィン８の反対側に張出すペアガラス受け縁９および係止縁１０と、室外側の端部から外方に張出す室外側フィン１１と、室内側の端部から内外方に張出す係合縁１２とが形成されている。これに対し、合成樹脂部３ｂの室外側は上記係止縁１０に係止し、室内側は上記係合縁１２に係合し、ビス１３によって金属部３ａに固定されている。また、合成樹脂部３ｂの内周側には開口部１４が開口形成されている。さらに、上記係合縁１２よりも室内側には取付縁１５が延長形成されている。
【００１４】
上記縦枠３の取付フィン８は周縁部材４の室外側の外面に釘止めされ、縦枠３の係合縁１２は額縁１６の室外側の端面に係合し、さらに、合成樹脂部３ｂの取付縁１５は額縁１６にビス止め固定されている。
【００１５】
また、上記サッシ枠の内側にはペアガラス１７が配置されている。ペアガラス１７の室外側の周縁部は上記縦枠３の受け縁９によって支持され、またペアガラス１７の室内側の周縁部は、上記合成樹脂部３ｂの開口部１４に係止された押縁１８によって支持されている。
【００１６】
次に、上記縦枠３の室外側には、パンチングメタルによる化粧パネル２０が取りつけられている。この化粧パネル２０のサッシ枠への取付構造は次のように構成されている。
【００１７】
すなわち、上記化粧パネル２０はサッシの縦枠３の室外側フィン１１との間に取付台座２１を介在させた状態で取付ネジ２２によって固定されている。
【００１８】
化粧パネル２０と縦枠３には、互いに対応する位置に取付ネジ２２を貫通させる貫通孔２３が複数個形成されている。
【００１９】
取付台座２１は合成樹脂から構成され、図３に示されるように、ネジ挿通孔２５とスライド溝２６が形成されている。このスライド溝２６は取付台座２１の見込み方向にネジ挿通孔２５と平行に形成されている。
【００２０】
スライド溝２６には止め金具（硬質の合成樹脂でもよい）２４がスライド自在に取りつけられている。止め金具２４は、前記スライド溝２６に差し込まれるスライド片２７と、雌ネジ部２８を有する固定片２９とからなるＬ型の形状である。そして、取付台座２１のスライド溝２６には上記スライド片２７がスライド自在に差し込まれている。スライド片２７がスライド溝２６に差しこまれたとき、固定片２９の雌ネジ部２８は取付台座２１のネジ挿通孔２５と同軸上に整合するように形成されている。
【００２１】
次に、縦枠３に化粧パネル２０を取りつけるにあたっては、図４（ａ）（ｂ）に示されるように、止め金具２４を取付台座２１のスライド溝２６に差しこみ、同図（ｃ）のように止め金具２４と取付台座２１との間に縦枠３の室外側フィン１１を挟みこみ、さらに取付台座２１の上に化粧パネル２０の裏面を当て、取付ネジ２２を化粧パネル２０の室外側からその貫通孔２３を貫通させ、取付台座２１のネジ挿通孔２５に挿通させ、さらに上記室外側フィン１１の貫通孔２３を貫通させて止め金具２４の固定片２９の雌ネジ部２８にねじ込み、締め付けて固定すればよい。
【００２２】
ところで、上述のように、止め金具２４の固定片２９を上記室外側フィン１１と建屋の外壁５との間の隙間Ｓに配置するとき、この隙間が狭くても、取付台座２１を移動させれば、固定片２９も室外側フィン１１と外壁５との間に容易に差し込むことができるほか、止め金具２４のスライド片２７は取付台座２１のスライド溝２６に沿って一定方向にスライドし、取付ネジ２２はネジ挿通孔２５に案内されて一定方向に進むので、固定片２９の雌ネジ部２８は取付台座２１のネジ挿通孔２５と常に同軸上に整合するようになっている。このため、取付ネジ２２の先端が上記室外側フィン１１のネジ用貫通孔２３を貫通した後は、止め金具２４から手を離しても、固定片２９は狭い隙間Ｓ（図２参照）に入って建屋の外壁５に当ってそれ以上はスライドできない。この状態で取付ネジ２２をねじ込んでいくと、その先端は固定片２９の雌ネジ部２８にねじ込まれていくので、さらにねじ込むと、固定片２９は室外側フィン１１の方に接近していき、最終的には強く締め込まれる。
【００２３】
上述のように、止め金具２４は取付台座２１のスライド溝２６に沿ってスライドできるようになっているため、取付ネジ２２と止め金具２４の雌ネジ部２８との位置合わせを容易に行なうことができる。また、構造が簡単であるから、コストも低く抑えることができる。
【実施例２】
【００２４】
スライド溝２６は必ずしも取付ネジ２２のネジ挿通孔２５と平行に形成されている必要はない。たとえば、図５のように、ネジ挿通孔２５に対して直交するように形成してもよい。この場合も、止め金具２４はスライド溝２６に沿って押し込んでやれば縦枠３の室外側フィン１１と建屋外壁５との間の隙間Ｓに入り込んでいくので、止め金具２４を指で差し入れる必要がないので、差し込み作業が容易であるとともに、止め金具２４の屈曲部３０が取付台座２１の外面に当接したときに、ネジ挿通孔２５と止め金具２４の雌ネジ部２８とが整合するように形成することにより、ネジ止め作業も迅速かつ確実に行なうことができる。
【００２５】
また、化粧パネルはサッシ枠の縦枠ではなく、上下枠あるいは上下枠と縦枠とに取りつける構成であってもよい。
【産業上の利用可能性】
【００２６】
本発明は、面格子、目隠しパネル、装飾パネルなど、サッシ枠の室外側に設けられる種々のパネルに適用することができる。
【図面の簡単な説明】
【００２７】
【図１】パネルのサッシ枠への取付構造の正面図である。（実施例１）
【図２】図１のＸ−Ｘ線上の断面図である。
【図３】取付台座と止め金具の斜視図である。
【図４】（ａ）（ｂ）（ｃ）はパネルの取付態様説明図である。
【図５】はパネルのサッシ枠への取付構造におけるパネルの取付態様説明図である。（実施例２）
【符号の説明】
【００２８】
１１    室外側フィン
２１    取付台座
２４    止め金具
２６    スライド溝
２８    雌ネジ部
【図１】
2005030113.tif 000003
【図２】
2005030113.tif 000004
【図３】
2005030113.tif 000005
【図４】
2005030113.tif 000006
【図５】
2005030113.tif 000007